(57)【要約】【課題】構造簡単にして取り付け容易で、衝撃によっても狂うことなく隙間閉塞効果を維持することができる引戸の隙間閉塞装置を提供すること。【解決手段】フィラー等の閉塞部材の支持部材を、縦框または柱材等の方立Ａの長手方向に沿って形成した収容部に突出方向に対して進退自在に収容し、前記閉塞部材の突出量を調整する調整機構を当該支持部材に連結して設けた引戸Ｂの隙間閉塞装置において、ケーシングに形成された長孔内に挿入されて左右に摺動できる頭部がケーシングから露出するネジと、このネジに螺合する回転不能のナットとから構成され、このネジに螺合するナットのネジ頭部側の面にネジの摺動方向と直交する方向の多数の溝を形成し、ケーシングの内面にはナットが接触する面に前記ナットの溝に噛合する多数の溝を形成したことを特徴とする。【選択図】図３
2015001151.tif 000002
【特許請求の範囲】
【請求項１】
フィラー等の閉塞部材の支持部材を、縦框または柱材等の方立Ａの長手方向に沿って形成した収容部に突出方向に対して進退自在に収容し、前記閉塞部材の突出量を調整する調整機構を当該支持部材に連結して設けた引戸Ｂの隙間閉塞装置において、ケーシングに形成された長孔内に挿入されて左右に摺動できる頭部がケーシングから露出するネジと、このネジに螺合する回転不能のナットとから構成され、このネジに螺合するナットのネジ頭部側の面にネジの摺動方向と直交する方向の多数の溝を形成し、ケーシングの内面にはナットが接触する面に前記ナットの溝に噛合する多数の溝を形成したことを特徴とする引戸の隙間閉塞装置。
【発明の詳細な説明】
【技術分野】
【０００１】  本発明は、方立と引戸間の隙間から光漏れ等を防止する効果即ち遮蔽効果を奏し得る引戸の隙間閉塞装置に関するものである。
【背景技術】
【０００２】
【特許文献１】  特許第４４８７４０８号公報
【発明の開示】
【発明が解決しようとする課題】
【０００３】  一般に、建物の窓などに設けられる引戸枠には、引戸枠の開口部と壁部との仕切り部分に、いわゆる引戸の中方立構造が上下方向に配設されているが、このような中方立構造として、特許第４４８７４０８号公報等に記載されているが、引戸に対向する側に開口する収納溝が上下方向に沿って形成された中方立部材と、この中方立部材の収納溝に出没可能に収納される引戸の隙間閉塞装置とを備えたものが種々開発されている。【０００４】  単純な引戸の隙間閉塞装置としては、左右に摺動させることのできるネジでフィラーやモヘア等の隙間閉塞部材を押して中方立部材と引戸との間の隙間を閉塞し、その位置でネジを締めて固定するようにしたものが考えられたが、ネジにリテーナを設けていても引戸の開閉の際の振動によってネジが緩み、閉塞部材の突出量が変化してしまうという欠点があったため、フィラーやモヘア等の隙間閉塞部材をカム機構や、ラックーピニオン機構を使用して回転運動を直線運動に変換して左右方向に移動させることによって中方立部材と引戸の間の隙間を閉塞するようにしたものが考えられた。【０００５】  然しながら、この引戸の隙間閉塞装置にあっては、部品点数が多くて、構造が複雑であるだけでなく、中方立部材への取り付け作業が困難であり、引戸の開閉の都度の大きな衝撃でカム部材が不測に回転して閉塞部材の突出量が変化して隙間閉塞効果が低下するという問題点があった。
【発明の目的】
【０００６】  本発明の目的は、構造簡単にして取り付け容易で、衝撃によっても狂うことなく隙間閉塞効果を維持することができる引戸の隙間閉塞装置を提供することにある。
【課題を解決するための手段】
【０００７】  本発明に係る引戸の隙間閉塞装置は、フィラー等の閉塞部材の支持部材を、縦框または柱材等の方立Ａの長手方向に沿って形成した収容部に突出方向に対して進退自在に収容し、前記閉塞部材の突出量を調整する調整機構を当該支持部材に連結して設けた引戸Ｂの隙間閉塞装置において、ケーシングに形成された長孔内に挿入されて左右に摺動できる頭部がケーシングから露出するネジと、このネジに螺合する回転不能のナットとから構成され、このネジに螺合するナットのネジ頭部側の面にネジの摺動方向と直交する方向の多数の溝を形成し、ケーシングの内面にはナットが接触する面に前記ナットの溝に噛合する多数の溝を形成したことを特徴とするものである。
【発明の作用】
【０００８】  本発明に係る引戸の隙間閉塞装置は、ネジを緩めて調整位置に摺動させてネジを締めると、ネジに螺合するナットの溝部分がケーシング内面の溝に噛合して一体化され、ネジが溝同士の噛み合いが外れるまで強固に固定され、閉塞部材の突出量が変化することがない。
【実施例】
【０００９】  図１は、本発明の引戸の隙間閉塞装置を構成する閉塞操作具の斜視図、図２は、図１の縦断側面図、図３は、同装置の方立への取り付け状態を表す分解斜視図、図４は、同装置の方立に取り付けた状態を表す斜視図、図５は、同装置の取付状態の平面透視図、図６は、同調節後の平面透視図、図７は、方立と壁、引戸の関係を表す概略斜視図である。【００１０】  図１、２において、１は、本発明の引戸の隙間閉塞装置を構成する閉塞操作具であって、横方向に長いケーシング１−１の基板部１ａに長孔１−１ａが形成され、基板部１ａの内面側には複数の縦溝１ｂ・・・１ｂが形成されている。【００１１】  ２は、ケーシング１−１の長孔１−１ａ内に挿通される頭部２−１と軸部２−２から成るネジ２が挿通されている。【００１２】  ３は、上記ネジ２に螺合するナット３であって、前記基板部１ａの複数の縦溝１ｂ・・・１ｂに対向する面側に複数の縦溝３ａ・・・３ａが形成されている。【００１３】  ４は、フィラー等の閉塞部材であって、長尺の支持部材４−１に嵌めこみ係止されており、この支持部材４−１には前記ネジ２の先端が嵌入する溝４−２が形成されている。【００１４】  本発明引戸の取付方法並びに作動状態を説明すれば、先ず、方立Ａに形成された孔に閉塞操作具１を接着剤やケーシング本体に形成された打ち込み用リブ等で嵌めこみ固定し、この嵌めこみ途中で図５、図６のように閉塞操作具１のネジ２の先端部を支持部材４−１の溝４−２に嵌入させてネジ２と支持部材４−１を連結する。【００１５】  図５の状態はネジ２が締められた状態で、ナット３の縦溝３ａ・・・３ａがケーシング１−１の基板部１ａの縦溝１ｂ・・・１ｂの山部と谷部同士の噛合によって固定状態となっているので、この儘では閉塞部材４を押し出すことはできない状態である。【００１６】  図５の状態でドライバー等でネジ２を緩めて前記基板部１ａとナット３の縦溝同士の噛合を解除すると、ネジ２はフリー状態となるから、その儘図６のようにネジ２を長孔１−１ａに沿って移動させ、閉塞部材４を調節位置までもっていき、ネジ２をその位置で締めると前述のように縦溝同士が噛合して固定状態となる。【００１７】  必要に応じて上述の操作を繰り返して閉塞部材４の突出量を調節すればよいものである。
【発明の効果】
【００１８】  本発明に係る引戸の隙間閉塞装置によれば、ケーシングに形成された長孔内に挿入されて左右に摺動できる頭部がケーシングから露出するネジと、このネジに螺合する回転不能のナットとから構成され、このネジに螺合するナットのネジ頭部側の面にネジの摺動方向と直交する方向の多数の溝を形成し、ケーシングの内面にはナットが接触する面に前記ナットの溝に噛合する多数の溝を形成したもので、溝同士の噛合によって強固な固定状態を保持するようにしたものであるから、部品点数は従来品に比べて少ないだけでなく、構造は極めて簡単でありながら中方立部材への取り付け作業が容易であり、引戸の開閉の際に極めて大きな衝撃が加わっても従来装置のように操作部材が不測に回転して閉塞部材の突出量が変化して隙間閉塞効果が低下するというようなことがないものである。
【図面の簡単な説明】
【００１９】
【図１】  本発明の引戸の隙間閉塞装置を構成する閉塞操作具の斜視図である。
【図２】  図１の縦断側面図である。
【図３】  同装置の方立への取り付け状態を表す分解斜視図
【図４】  同装置の方立に取り付けた状態を表す斜視図である。
【図５】  同装置の取付状態の平面透視図である。
【図６】  同調節後の平面透視図である。
【図７】  方立と壁、引戸の関係を表す概略斜視図である。
【符号の説明】
【００２０】１          閉塞操作具
２          ネジ
３          ナット
４          閉塞部材
Ａ          方立
Ｂ          引戸
【図１】
2015001151.tif 000003
【図２】
2015001151.tif 000004
【図３】
2015001151.tif 000005
【図４】
2015001151.tif 000006
【図５】
2015001151.tif 000007
【図６】
2015001151.tif 000008
【図７】
2015001151.tif 000009